(57)【要約】      （修正有）【課題】浴室椅子や介護椅子或いは介護ベッドに、座ったり横たわったりした時や、浴室洗い場やシャワー室に足を踏み入れた時に、冷ショックを受けない、更には足元に水がある寒冷作業環境場で足下からの冷えを大幅に緩和する、多用途断熱マットを提供する。【解決手段】撥水性を有し、硬質の低発泡樹脂で成る基盤１の上面に、円柱状、四角柱状などの突起群２ａ〜２ｃを碁盤目状、千鳥状、同心円状、或いは不規則に分散配置し、この面に水がかかった時、各突起の天頂部は、その表面に滴状の水が残らないよう釣鐘状の曲面となすとともに、突起間には、突起から流下する水を含め、かかった水が各突起間を滞らず流れて基盤外に排出されるよう２ｍｍ程度の間隔を設けた。【選択図】図１
0003201257.tif 000002
【実用新案登録請求の範囲】
【請求項１】
撥水性・非浸水性を有し、硬質の低発泡樹脂で成る基盤の上面に、円柱状、四角柱状などの突起群を碁盤目状、千鳥状、同心円状、或いは不規則に分散配置するが、この面に水がかかった時、各突起の天頂部は、その表面に滴状の水が残らないよう釣鐘状の曲面となすとともに、突起間には、突起から流下する水を含め、かかった水が各突起間を滞らず流れて基盤外に排出されるよう２ｍｍ程度の間隔を設ける。また、両面に突起を設けることも可能である。  斯かる、浴室・シャワー室・介護ベッド用、及び足元が水に濡れる作業環境用の冷ショックを受けないフラット断熱マット
【請求項２】
市販されている既存の浴室用などの椅子に、請求項１の断熱マットを各突起の天頂部に接する面が既存椅子の座面に類似する凹曲面を持ち、なおかつ椅子からずれないよう周縁部にスカート状のものを付帯させ、既存の椅子座面におよそ密接するよう成型して緩やかに嵌合するか、あるいはスカートの代わりに市販の椅子の排水用孔に嵌合する排水用の孔を持つ筒状のものをマット裏面に形成してマットのずれを防止する、冷ショックを受けない、既存風呂椅子に整合させる断熱マット
【請求項３】
浴室用などの椅子と、請求項１の断熱マットを、成型機により一体化した、あるいは、両者を整合させて接着一体化した、更には、椅子とマットを取り外し可能に嵌合するようにした、新たにユニットとして構成する、冷ショックを受けない浴室用・介護用椅子
【考案の詳細な説明】
【技術分野】
【０００１】  本考案は、浴室で濡れた椅子に座る時、濡れた浴室へ足を踏み入れる時、あるいは洗体の為に介護用椅子やベッドを使う時、臀部・足裏など体表面が冷ショックを受けず、又、足元が冷水に濡れる環境で作業する時、足元が厳しく冷されない断熱マットに関する。
【背景技術】
【０００２】  浴室に入る際や風呂椅子に座る際、洗い場に敷かれたマットおよび風呂椅子、あるいは介護用の椅子やベッドの表面に残留する水によって、足裏や臀部などの体表面に冷ショックを受ける。この不快な感覚は特に寒冷期において強く、特に高齢者や被介護者にとっては一層の衝撃となり、深刻なダメージを受ける危険さえ存在し、又靴が冷水に濡れる環境下の作業では足冷えが酷く、健康障害にも及びかねず、これらを排除することが望まれる。
これに関連すると思われる幾つかの考案がある。
１  介護用椅子に関し、座面、背面に発砲ＥＶＡ製パッドが装着されているが、ＥＶＡは  表面が濡れるため、シャワーで使った水が表面に残り、使用の度に冷ショック受ける。  （特許文献１）
２  浴室用折り畳み椅子に関し、座部には発砲プラスチック製の水抜き穴が設けられたク  ッションが装着されていて、シャワー後の水は溜まるほどには残留しないが、使用後の  表面は濡れた状態である。また、背面にも発砲プラスチッククッションが装着されてい  るが、ここでも表面には濡れた状態で水が残り、冷ショックを起こす。（特許文献２）
３  浴用椅子に関し、着座部に合成樹脂又は各種ゴム製スポンジを接着剤により一体化あ  るいは溶着したもので、表面にジャージ加工を施し、水はけのために溝加工されたもの  であるが、この考案は、水がスポンジ内に浸水するため、着座時に残留水の滲みだしも  加わって、冷ショックは前２者より酷いものになる。（特許文献３）
４  浴室用回転椅子に関し、中空プラスチック製座部全体を覆うように発砲プラしチック  クッションを装着し、背もたれにも発砲プラスチックを装着したもので、冷ショックに  は全く配慮されていない。（特許文献４）
５  機構的に改善された浴室用回転椅子に関しては、前４と同様である。（特許文献５）
６  腰かけに関し、腰掛椅子本体に発砲樹脂（ポリエチレン）製の被服体を嵌着したもの  である。この案件では、被覆発砲樹脂に本体に貫通する排水孔が設けられているが、洗  体後の水は必ず表面に残留し、冷ショックを齎す。更に図にあるような嵌着形態はかな  り面倒な技術を要求する。（特許文献６）
７  プラスチック材料で発泡成形した腰掛用座布団で、冷ショックに関する配慮は無い。    （特許文献７）
８  風呂用クッション腰掛に関するもので、座面に防水クッションを設け、一部に孔を開  けて座面からの排水を促すようにしたものである。すわり心地に関する工夫はあるもの  の、冷ショックについては無配慮である。（特許文献８）
９  風呂用腰掛に関するもので、低発砲樹脂で形成された本体の上面に柔軟な発砲樹脂を  装着したものであるが、冷ショックを排除する機能は無い。（特許文献９）
１０  風呂用マットに関するもので、マット面に端から端まで一方向に斜行する、図からはかまぼこ状とは視覚しえないような突起列を設け、中央部を周端部より５ｍｍ高くして傾斜をつけ、かかった水やお湯を速やかに排出することを目的としたものである。しかし、突起間の溝は突起が接してできる鋭い谷状のもので、ここにできる５度程度の勾配では表面張力のため溝らしき部分の水は殆ど排出することはできず、マット全面の溝に水が滞留し、しかも突起高さは高々数ｍｍで、踏めば凹む為、滑ることや衛生上の不具合の改善を期待することはできない。この提案では冷ショックを全く防げない。（特許文献１０）
【先行技術文献】
【特許文献】
【０００３】
【特許文献１】特開２００９−２４７４１２号公報
【特許文献２】特開２００７−３７６０８号公報
【特許文献３】実用新案登録第３１１２５０６号公報
【特許文献４】特開２００５−１１０７８５号公報
【特許文献５】特開２００５−１１０７８４号公報
【特許文献６】特開平９−２７１４２６号公報
【特許文献７】実開昭６３−２５０４４号公報
【特許文献８】実開昭５９−２９９８９号公報
【特許文献９】実開昭５７−１６２７９５号公報
【特許文献１０】実開平１５−３０９３９０４号公報
【考案の概要】
【考案が解決しようとする課題】
【０００４】  以上の技術においては、風呂椅子などの使用時のすわり心地というような感覚に関して、発泡した樹脂を使うことで改善しようとする試みが提案されているのみであって、入浴などの際、又特に寒冷期において、足裏、臀部などの体表面に感じる強烈な冷たさ、冷ショックを排除しようとする試みにまで敷衍したものは無い。
そこで本考案は、浴室やシャワ−室に足を踏み入れた時、風呂椅子や介護椅子或いは介護ベッドに、座ったり横たわったりする時などに、足裏、臀部など体表面に鋭く感じる嫌な冷たさ、いわゆる冷ショックを生じない、加うるに足元に冷水があるような寒冷作業環境場で、足下からの冷えを大幅に緩和する、断熱マットを提供するものである。
【課題を解決するための手段】
【０００５】  以上の課題を解決するために、第一考案は、撥水性・非浸水性を有し、座る・踏むことで容易に潰れない程度の硬さを有する硬質発泡樹脂、或いは柔軟で弾性材質の変形しても強い復元力を有する撥水加工などを施した平板な樹脂を基盤にし、その表面に円柱状・四角柱状などに成型された突起群を、適当な間隔を置いて碁盤目・千鳥状・同心円状或いは部分的に配置密度を変える様な不規則に、片面或いは両面に全面に分散配置する。突起群の各突起は、一方の端部即ち天頂部を、水がかかった時その表面に滴状の水が残らないよう釣鐘状の曲面となし、かかった水や突起を流下した水が、突起間の溝を基盤周端部に向かって滑らかに流動し排出されるよう隣接する突起の間隔を適切に設定する。その結果、湯水を使った後でこの基板上に配列された突起群の上に、足を踏み入れても、介護の洗体でベッドに寝るなどしても体表面などが冷たくなった水に触れることはなく、従って鋭い冷たさを感じること無く、暖かみさえ感じる、浴室・シャワー室・介護ベッド用、及び足下が水に濡れる作業環境用のフラットな断熱マットである。
第二考案は、第一考案に示す断熱マットを利用するもので、臀部が触れる範囲の突起群の各突起の天頂部に接する面が、市販になる既存の風呂椅子座面に近似の凹曲面であり、基盤裏面は既存の風呂椅子などの座面形状にほぼ合うような凸曲面とし、既存椅子排水孔と合う位置に排水孔を設けるとともに、この断熱マットが椅子からずれないために、マット周辺又はその一部に、着脱が簡単にできるよう既存風呂椅子上部周縁部との嵌合を緩やかにしたスカート状のものを設けて風呂椅子などに被せるようにするか、或いは、その代わりに、既存風呂椅子の排水孔にゆるく嵌合する、排水用の孔を持つ筒状のものをマット裏面に形成して、この筒を既存椅子の排水孔にはめ込んでずれを防ぐようにした、市販されている既存の風呂椅子用・介護椅子用の冷ショック受けない断熱マットである。
第三考案は、椅子と断熱マットとを一体化構成にして提供するもので、断熱マットと椅子を成型機により一体化する方法、両者を整合させて接着一体化する方法、マット下面に設けたずれ防止用の突起と、これと対応する位置に設けた椅子座面の孔とが二箇所程度で緩く嵌合させて一体化し、マットを椅子から取り外せるようにする方法である、冷ショックを受けないユニット型で提供する風呂椅子・介護椅子である。
【考案の効果】
【０００６】  第一考案、第二考案及び第三考案によれば、浴室で椅子或いは介護用椅子に座る場合、洗い場やシャワー室でマットを踏む場合、更には介護ベッドで身体を洗う場合、臀部、足裏、体表面に冷ショックを受けず、また、足元が水に濡れるような寒冷環境下で作業する場合、靴底からの足冷えを感じずに済む。
この結果、入浴やシャワーのたびに感じる不快な冷ショックから開放されるとともに、臀部や足裏が暖かくさえ感じ、快適な入浴気分を味わうことができ、また、寒冷環境下で足元に水がある状態で作業する場合、このフラットマットを使うことによって靴裏が直接水に濡れないことと高い断熱性から足冷えが大幅に緩和され、健康維持にも、作業効率向上にも良い効果が期待できる。特に高齢者に関しては危険にも繋がりかねない冷ショックの不安から開放される効果がある。しかも、第一考案では、突起によって足裏のつぼを押す健康効果も期待されるとともに、発泡樹脂を使えば、低発泡樹脂でもなお、従来のマットに比して極めて軽く、扱いやすくなる利点があり、第二・第三考案に関しては、暖かい時期にはマットを簡単に外して使える利便さがある。さらには、第三考案において、完全に一体化してマットを取り外さない構成の場合は、マットと椅子の接触面を複雑な曲面にしなくても良い利点がある。
【図面の簡単な説明】
【０００７】
【図１】本考案第一実施例の平面図である。
【図２】本考案第二実施例の側面図である。
【図３】本考案第二実施例の平面図である。
【図４】本考案第二実施例の平面図及び断面図である。
【図５】本考案第三実施例の平面図である。
【図６】本考案第三実施例の断面図である。
【考案を実施するための形態】
【０００８】  本考案にかかわる、冷ショックを受けず、又足冷えを緩和する突起付きフラットマット、及び冷ショックを受けない突起付き断熱マットを装着した風呂椅子を図１〜図６に示す。
図１は、第一実施形態に関するもので、フラットマットの平面図を示す。１は基盤、２は突起である。本案で提案する突起は、釣鐘状の天頂部の下に柱状部を持つものが主体であるが、その柱状部分の断面形状で分類する。たとえ柱状部分が無いような突起でも、それが基盤に接する面での形状を考えれば良い。一つはその基本形状を楕円とする場合である。長径と短径の比が１は原型の円形断面であり、その比が大きくなれば普通に認識する楕円断面に移行する。二つ目の基本形状は正多角形である。先ず、辺の数が４の場合は縦横比が１で正四角形である。この変形として矩形があり、縦横比が大きくなれば次第に細長い突起となる。辺の数が４より大きい正多角形断面の突起の場合は、採用可能とはいえ辺数４に比べれば好ましいものとは言えない。典型的な突起として、円柱状２ａ、正四角柱状２ｂ、断面矩形の縦横比が２．５の角柱２ｃを例示する。これらの突起の天頂部は、水がかかった時、その表面に滴状の水が残らないような釣鐘状の曲面である。各種形状の突起群には、碁盤目状、千鳥状、同心円状、部分的に配置密度を変える様な不規則配置がある。これらの突起群に水がかかった場合、水は突起間の溝に集まるが、これが溝の流路を滑らかに流れて基盤周辺から流出する必要がある。この為には、隣接する突起間には２ｍｍ程度の間隔を設ければ水の排出には充分である。この狭い突起間隔採用には、横荷重の分散及び面圧軽減を計る意味がある。また、円柱突起の直径、四角突起の幅に関しては、１０〜２０ｍｍ程度、高さに関しては、横荷重に対する耐性、更には断熱マットの厚みを考慮して１０〜２０ｍｍ程度がおよそ適当な範囲と考えられる。図２は、第二実施形態の側面図、図３は平面図を示し、既存の風呂椅子に第一実施形態に示すマットを、かぶせ嵌合する場合を示す。３は既存の風呂椅子、４は風呂椅子に緩やかに嵌合する冷ショックを受けないよう工夫された断熱マット、５はマットが椅子からずれないためのスカートであり、図のように椅子の周縁の一部に設けても、周縁部全体に設けても良く、既存椅子とは簡単に着脱できるような緩やかな嵌合状態にある。既存風呂椅子座面の排水孔に合うよう中央付近に排水孔６を設ける。また、配列された突起群の天頂部の接面は、既存椅子座面に類似の凹曲面をなすよう成型され、このマットが既存椅子座面に接する面は、既存椅子座面と近似の凸曲面に成型される。
しかし、このスカート部を椅子に嵌合するマットのずれ防止法には若干の手間を要することなどから、既存の風呂椅子の排水孔を利用してずれを防ぐ方法を図４に示す。７は、既存椅子の排水孔、８はマット下面に突き出た、既存椅子排水孔に軽く抜き取れる程度に緩く嵌合する排水用の筒である。
図５は、第三実施形態に関するもので、風呂椅子と断熱マットを一体として形成して提供する場合であり、マットを取り外しできるようにした場合を示す。図６は、図５の断面Ｃ−Ｃ  を示す。突起の形状、配列、突起群天頂部の接面などに関しては、第二実施例に同じである。９は、マット裏側に成型されるボスで、マットが椅子座面からずれないため数個設けるが、このボスと嵌合する椅子座面に空けた孔とは、マットが軽く取り外せるような緩い嵌めあい状態にある。１０及び１１はマット及び椅子の中央部付近に設ける排水孔であり、１２は風呂椅子である。なお、図ではマットと椅子座面との接面１３を平面で示すが、マットを外した場合の座り心地の点から、既存椅子座面のような曲面が推される。
【実施例１】
【０００９】  撥水性・非浸水性を有する発泡樹脂などの基盤に、各種断面形状の、天頂部表面に水滴が止まらないよう工夫した突起群を、水がかかったとき速やかに流動できる程度の間隔を置いて碁盤目状などの形態に配列されたフラットマットは、浴室敷きマット、シャワー室敷きマット、被介護者の洗体用ベッド、足元が水に浸される作業現場での敷きマットとして利用されるもので、浴室に入る時、椅子に座る時などに襲われる、ひやっとする鋭いショックから開放する機能を持つもので、その利用価値は高い。特に寒冷期においてはこの冷ショックの程度は高く、その有意性は一層増大する。また、足下が水に浸るような作業環境では、靴底からの奪熱による足冷えで健康が損なわれる事態から救われることも考えられる。更に、発泡樹脂が使われれば、既存の敷きマットに比して格段に軽くなり、扱いやすくなる利便さがある。
【実施例２】
【００１０】  実施例１に示す断熱マットを既存の風呂椅子に適合する形状に、椅子からずれない工夫を加えて成型し、椅子に被せるか、嵌めこむ形の椅子用のマットを提供する。これにより入浴時の冷ショックから開放され、快い入浴時間を過ごすことができる。現況では、冷ショックを避けるために、いちいちお湯を掛けるが、一人ひとりでは少量でも生活圏を拡大して考えれば膨大なエネルギー損失であり、エコの観点からも有意性を有する。
【実施例３】
【００１１】  実施例２に変えて、風呂椅子と突起付き断熱マットをユニットとして新たに製作するもので、冷ショックを受けない風呂椅子を提供するにおいて有用な手法である、実施例２に記したようなエコの観点からの有意性を有する。
【産業上の利用可能性】
【００１２】  これらの実施形態によれば、この考案は特に寒冷環境下での入浴、シャワー、介護時、あるいは作業靴の裏側が水に濡れるような作業現場で、その機能を発揮し、エネルギー節約にも貢献するものである。くつろぎの場を一瞬でも損なう冷ショックの機会を排除して快適な入浴を促進することの他、作業靴の下が冷水に濡れる作業現場でフラットマットを使えば、血流低下をもたらす足冷えを大幅に改善することで、健康保全、作業効率改善に貢献できる。
【符号の説明】
【００１３】１基盤  ２突起  ３風呂椅子  ４断熱マット  ５ずれ防止スカート  ６断熱マット排水孔  ７既存椅子排水孔  ８マットずれ防止排水筒  ９  マットずれ防止ボス  １０一体型マット排水孔  １１一体型椅子排水孔  １２一体型椅子  １３一体型マットと椅子座面の接面
【図１】
0003201257.tif 000003
【図２】
0003201257.tif 000004
【図３】
0003201257.tif 000005
【図４】
0003201257.tif 000006
【図５】
0003201257.tif 000007
【図６】
0003201257.tif 000008
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
撥水性を有し、硬質の低発泡樹脂で成る基盤の上面に、円柱状、四角柱状などの突起群を碁盤目状、千鳥状、同心円状、或いは不規則に分散配置するが、この面に水がかかった時、各突起の天頂部は、その表面に滴状の水が残らないよう釣鐘状の曲面となすとともに、突起間には、突起から流下する水を含め、かかった水が各突起間を滞らず流れて基盤外に排出されるよう２ｍｍ程度の間隔を設けた、浴室、シャワー室、介護ベッド用、又は足元が水に濡れる作業環境用の、冷ショックを受けないフラット断熱マット。
【請求項２】
浴室用、介護用などの椅子に被せる形のもので、当該マット上面の突起群が臀部に接する面及び当該マット裏面は、椅子座面に類似の曲面となし、当該マットの椅子からのずれ防止の為には、当該マット周縁部にスカート状のものを付帯させて椅子座面に緩やかに嵌合するか、あるいはスカートの代わりに椅子の排水用孔に嵌合する、排水用の孔を持つ筒状のものを当該マット裏面に形成するようにして、浴室用、介護などの椅子に整合させることを特徴とする請求項１に記載の断熱マット。
【請求項３】
浴室用、介護用などの椅子と、請求項１に記載の断熱マットとを、一体成型、接着一体化、又は取り外し可能に嵌合させて、ユニットとして構成する、冷ショックを受けない浴室用、介護用などの椅子。